(57)【要約】【課題】従来の光触媒酸化チタンを成分とする洗浄液を改良して成る洗浄液並びにこの洗浄液を用いたカーペットの洗浄方法を提供せんとする。【解決手段】洗浄液を、不純物の少ない水と、この水に加えられた何れも少量のアパタイト被覆酸化チタンと、過酸化物と、クエン酸と、メタ珪酸ナトリウムとで構成することで解決した。また、この洗浄液を用いてカーペットを洗浄する場合には、カーペットの表面に前記洗浄液を噴霧し、暫く放置した後、カーペットの表面をブラッシングし、カーペットから剥離、分散された汚れ、臭気成分等を洗浄液中の光触媒酸化チタン粒子の表面を被覆するアパタイト粒子に吸着させ、光触媒酸化チタン粒子の酸化作用により分解、無害化させるステップを含むことで解決した。【選択図】図１
2016089129.tif 000002
【特許請求の範囲】
【請求項１】
不純物の少ない水と、この水に加えられた何れも少量のアパタイト被覆酸化チタンと、過酸化物と、クエン酸と、メタ珪酸ナトリウムとから成ることを特徴とする、洗浄液。
【請求項２】
前記洗浄液は、カーペット洗浄用であることを特徴とする、請求項１に記載の洗浄液。
【請求項３】
前記洗浄液は、不純物の少ない［９８．００±９．８０］％の水と、［０．７０±０．０７］％（パーセンテージは配合比、以下同様）のアパタイト被覆酸化チタンと、［０．２０±０．０２］％の過酸化物と、［０．１０±０．０１］％のクエン酸と、［１．００±０．１０］％のメタ珪酸ナトリウムと、から成ることを特徴とする、請求項１に記載の
洗浄液。
【請求項４】
前記アパタイト被覆酸化チタンは、前記水に対し、[０．６０±０．０６］％の酸化チタンと、［０．１０±０．０１］％のアパタイトから成ることを特徴とする、請求項１に記載の洗浄液。
【請求項５】
前記メタ珪酸ナトリウムは、水ガラス状の水溶液であることを特徴とする、請求項１に記載の洗浄液。
【請求項６】
前記洗浄液の液性は、ｐＨ１１．５±１であることを特徴とする、請求項１に記載の洗浄液。
【請求項７】
カーペットに付着した塵埃をバキュームクリーナーにより取り除くステップと、
前記カーペットの表面に請求項１乃至４に記載の洗浄液の原液または必要に応じて水で希釈した希釈液を噴霧し、その後４〜１２分間放置して、汚れ、臭気成分等をカーペット繊維から剥離、分散させるステップと、
前記カーペットの表面をブラシ付き洗浄機によりブラッシングし、前記洗浄液の水分の乾燥と同時に、前記剥離、分散された汚れ、臭気成分等を前記洗浄液中の光触媒酸化チタン粒子の表面を被覆するアパタイト粒子に吸着させ、光触媒酸化チタン粒子の酸化作用により分解、無害化させると共に、他の汚れをカーペットの表面に浮き上がらせるステップと、
前記ブラッシングによりカーペットの表面に浮き上がった汚れをヤーンパットまたはボーンネットパットを取り付けた洗浄機により吸着、除去するステップと、
を含むことを特徴とする、カーペットの洗浄方法。
【発明の詳細な説明】
【技術分野】
【０００１】
本発明は、光触媒を利用した洗浄液並びにこの洗浄液を用いたカーペットの洗浄方法に関するものである。
【背景技術】
【０００２】
例えば、カーペットは、単に泥、砂等の無機物だけではなく、ペットの毛、食品の屑や汁、衣服からの繊維屑、カビ、ダニ、等々のさまざまな有機物を含む塵埃等で汚染されるため、定期的な清掃、洗浄が欠かせない。
【０００３】
清掃作業においては、バキュームクリーナーを用いて上記の如き塵埃を吸引、捕集し、除去することは当然行われるが、今日では、有機成分の除去、分解、殺菌、防カビ処理、脱臭、等も同時に行うようになっており、それらの目的で光触媒機能を有する酸化チタンを含む洗浄剤が用いられている。
【０００４】
下記特許文献１には、アパタイト被覆型光触媒酸化チタン粒子を練り込んだり、付着させることにより、消臭、抗菌機能を付加した繊維製品や繊維加工製品が記載されている。また、下記特許文献２には、カーペットに、防汚、抗菌、空気浄化作用を持たせるために、酸化チタン水溶液をカーペット表面に吹き付ける工程を含むカーペットメンテナンス方法が記載されている。また、一般的なカーペット洗浄剤としては、酸化チタンではなく界面活性剤を用いたものも従来から使用されている。
【０００５】
しかしながら、従来の光触媒としての酸化チタンだけでは即効性に乏しく、頑固な汚れ、シミなどには効果が出にくいという欠点があった。また、界面活性剤を用いたものでは、シミや臭気成分などは分解できず、洗浄後に界面活性剤等を取り除くために大量の水が必要とされ、その水の乾燥にも時間かかるという問題があり、さらに、廃水の処理が必要になるという問題もあった。
【先行技術文献】
【特許文献】
【０００６】
【特許文献１】特開２００４−０５２１４７
【特許文献２】特開２００５−２３７８４１
【発明の概要】
【発明が解決しようとする課題】
【０００７】
本発明は、上記の問題点を解決するためになされたものであり、その目的とするところは、光触媒を用いた洗浄液に汚れやシミ等の分解能力を有する他の成分を加えることにより、光触媒との相乗効果によって優れた洗浄力を発揮し、汚れ、シミの除去作用のほか、消臭、抗菌、抗カビ作用を有し、人と地球環境に優しい洗浄液少量で、安全で快適な室内空間を創り出すことが可能であり、洗浄後、使用可能状態となるまでの使用停止期間も短縮可能な洗浄液並びのこの洗浄液を用いたカーペットの洗浄方法を提供せんとするものである。
【課題を解決するための手段】
【０００８】
上記課題を解決するために、本発明に係る光触媒を利用した洗浄液は、不純物の少ない水と、この水に加えられた何れも少量のアパタイト被覆酸化チタンと、過酸化物と、クエン酸と、メタ珪酸ナトリウムとから成ることを特徴とする。
【０００９】
その際に、本発明に係る洗浄液は、これをカーペット洗浄用とすることができる。
【００１０】
さらに、本発明によれば、前記洗浄液は、これを不純物の少ない［９８．００±９．８０］％の水と、［０．７０±０．０７］％（パーセンテージは配合比、以下同様）のアパタイト被覆酸化チタンと、［０．２０±０．０２］％の過酸化物と、［０．１０±０．０１］％のクエン酸と、［１．００±０．１０］％のメタ珪酸ナトリウムと、で構成することをから成ることを特徴とする。
【００１１】
その際に、前記アパタイト被覆酸化チタンは、前記水に対し、[０．６０±０．０６］％の酸化チタンと、［０．１０±０．０１］％のアパタイトから成ることを特徴とする。
【００１２】
さらに、前記メタ珪酸ナトリウムは、水ガラス状の水溶液であることを特徴とする。
【００１３】
さらに、前記洗浄液の液性は、ｐＨ１１．５±１であることを特徴とする。
【００１４】
そして、本発明によれば、本発明に係る洗浄液を用いてカーペットを清掃するに当たり、カーペットに付着した塵埃をバキュームクリーナーにより取り除くステップと、前記カーペットの表面に請求項１乃至４に記載の洗浄液の原液または必要に応じて水で希釈した希釈液を噴霧し、その後４〜１２分間放置して、汚れ、臭気成分等をカーペット繊維から剥離、分散させるステップと、前記カーペットの表面をブラシ付き洗浄機によりブラッシングし、前記洗浄液の水分の乾燥と同時に、前記剥離、分散された汚れ、臭気成分等を前記洗浄液中の光触媒酸化チタン粒子の表面を被覆するアパタイト粒子に吸着させ、光触媒酸化チタン粒子の酸化作用により分解、無害化させると共に、他の汚れをカーペットの表面に浮き上がらせるステップと、前記ブラッシングによりカーペットの表面に浮き上がった汚れをヤーンパットまたはボーンネットパットを取り付けた洗浄機により吸着、除去するステップと、を含むことを特徴とする。
【発明の効果】
【００１５】
光触媒としての酸化チタンを利用した本発明に係る洗浄液においては、有機化合物の分解作用を有する過酸化物とメタ珪酸（アルカリ成分）とを加えたことによる相乗効果によって、とくに繊維類の洗浄と消臭（脱臭）が同時に可能となり、抗菌・抗カビ・防汚・漂白も可能となる、などの効果が得られる。
【００１６】
また、界面活性剤を使用しないことによって、カーペットに吹き付けてブラッシング洗浄等を行ったとき、泡立ちがなく、拭き取りが簡単にできるため、作業効率が向上する。さらに、カーペット洗浄後に大量の水で界面活性剤等を除去する必要がなくなり、乾燥時間を短縮できると共に、廃水処理も不要となる。また、本発明の洗浄液に含まれる成分はいずれも安全成分であるため、人体や環境に無害である。
【００１７】
本発明においては、酸化チタンの表面を被覆しているアパタイトによって、ウィルス、菌、カビ、汚れ、臭気成分、等々のほぼ全ての有害物質が吸着され、それらの有害物質が酸化チタンによって分解され、炭酸ガスおよび水となって無害化される。このようなアパタイト被覆酸化チタンの効果は半永久的に維持される。
【００１８】
また、本発明においては、光触媒としての酸化チタンの表面が、添加されたアパタイトによって被覆されるため、このアパタイトが、酸化チタンの表面とカーペットの素材との間に介在するスペーサーとなって、カーペットの素材が酸化チタンの表面と接触するのを防ぐことにより、カーペットの素材（特にウール等の天然素材）が酸化チタンの分解作用によって傷められることがない。
【００１９】
なお、本発明に係る洗浄液は、カーペット洗浄以外にも、多目的に使用でき、椅子のカバーや、水の脱臭・抗菌にも使用できる。また、使用目的に応じて、希釈（２〜５倍等）して使用することも可能である。
【図面の簡単な説明】
【００２０】
【図１】本発明に係る洗浄液の機能を示す説明図である。
【図２】本発明に係る洗浄液を用いたカーペットの洗浄方法の一例を示すフロー図である。
【発明を実施するための形態】
【００２１】
以下、本発明について具体的に説明する。なお、本発明は以下に説明する実施例のものに限定されない。
【００２２】
前記の如く、光触媒（酸化チタン）による従来の洗浄剤は、即効性がなく、効果が出にくいという欠点を有していたが、本発明においては、過酸化物を添加することにより活性酸素を発生させて、汚染物質の分解性能を高めると共に、洗浄促進剤としてアルカリ成分のメタ珪酸を添加し、汚れの剥離、分散を行わせ、光触媒酸化チタンやその他の成分との複合、相乗効果によって、汚れの分解、除菌、消臭等の洗浄効果を格段に向上させ得たものであり、優れた洗浄力、脱臭力等を有すると共に、即効性と持続性を兼ね備えた洗浄液たり得るものである。
【実施例】
【００２３】
本発明に係る洗浄液の組成は、［９８．００±９．８０］％（パーセンテージは配合比。本明細書中において同様。）の水と、この水に加えられたそれぞれ少量の［０．７０±０．０７］％のアパタイト被覆酸化チタンと、［０．２０±０．０２］％の過酸化物と、［０．１０±０．０１］％のクエン酸と、［１．００±０．１０］％のメタ珪酸と、から構成される。
【００２４】
前記酸化チタンは、光触媒であり、光線下における酸化力によって、有機物（汚れ・菌・カビ・臭気成分等）を炭酸ガスと水に分解し、無害化する作用を有する。酸化チタンの含有量は、［９８．００±９．８０］％に対し、０．６０％を最適とし、許容範囲はその１０％、即ち、±０．０６％の範囲であるので、本発明において酸化チタンの含有量は、［９８．００±９．８０］％の水に対し、０．５４〜０．６６％の範囲内に設定される。酸化チタンの含有量が０．５４％未満では、洗浄液の分解力が低下して、即効性も乏しくなる。一方、含有量が０．６６％を超えると、アパタイトとの配合比にもよるが、その分解力により例えばカーペットの素材自体（ウール等）を傷めるという問題を生じる。
【００２５】
前記アパタイトは、有機物等を吸着、捕集する作用があり、前記酸化チタンの表面をアパタイトが被覆するように付着させ、アパタイトが吸着、捕集した汚れ等を上記光触媒酸化チタンによって分解させることにより、分解効率を向上させることができる。また、アパタイトが、光触媒酸化チタンの表面を被覆し、カーペットの素材が酸化チタンの表面と接触するのを防ぐスペーサーとしての役割を果たすことにより、カーペットの素材が酸化チタンの分解作用によって傷められるのを防止する機能を有する。
【００２６】
アパタイトの含有量は、［９８．００±９．８０］％の水に対し、０．１０％を最適とし、許容範囲はその１０％、即ち、±０．０１％の範囲であるので、本発明においてアパタイトの含有量は、０．０９〜０．１１％の範囲内に設定される。
【００２７】
アパタイトの含有量が０．０９％未満では、汚れ等の吸着力が不足して、光触媒酸化チタンによる分解効率が低下すると共に、前記スペーサーとしての機能が不足し、カーペットの素材が傷む可能性が増大する。一方、アパタイトの含有量が０．１１％を超えると、光触媒酸化チタンの表面全体がアパタイトによって覆われ、光触媒酸化チタンによる汚れ等の分解力が低下して、即効性も乏しくなる。
【００２８】
このようなアパタイトによって被覆された光触媒としてのアパタイト被覆酸化チタンは、粉状である。
【００２９】
前記過酸化物は、活性酸素を発生させ、汚れや臭気成分等の分解を促進する。発生する活性酸素による酸化、漂白作用も併せ持っている。過酸化物の具体例としては、過炭酸塩等が好適に使用できる。
【００３０】
過酸化物の含有量は、［９８．００±９．８０］％の水に対し、０．２０％を最適とし、許容範囲はその１０％、即ち、±０．０２％の範囲であるので、本発明において過酸化物の含有量は、０．１８〜０．２２％の範囲内に設定される。過酸化物の含有量が［９８．００±９．８０］％の水に対し、０．１８％未満では、活性酸素の発生量が少なく、汚れ等の分解促進効果が乏しくなる。一方、過酸化物の含有量が０．２２％を超えると、漂白作用等が過剰となり、カーペット素材を傷める可能性が増大する。
【００３１】
前記クエン酸は、カルシウム、マグネシウム等を分解する作用を有し、水を軟化させる機能を有する。これにより、他の含有物であるアパタイト、過酸化物、メタ珪酸等の作用がカルシウム、マグネシウム等によって阻害されるのを防止する。
【００３２】
クエン酸の含有量は、［９８．００±９．８０］％の水に対し、０．１０％を最適とし、許容範囲はその１０％、即ち、±０．０１％の範囲であるので、本発明においてクエン酸の含有量は、０．０９〜０．１１％の範囲内に設定される。
【００３３】
クエン酸の含有量が、［９８．００±９．８０］％の水に対し、０．０９％未満であると、見るべき効果が得られず、他方、０．１１％を超えると、アルカリ成分であるメタ珪酸の作用が損なわれる。
【００３４】
前記メタ珪酸ナトリウムは、アルカリ成分であり、カーペットから汚れを剥離、分散させて、光触媒酸化チタンによる分解作用を促進し、洗浄効果を向上させる。メタ珪酸の具体例としては、メタ珪酸ナトリウム溶液等が好適に使用できる。
【００３５】
メタ珪酸の含有量は、［９８．００±９．８０］％の水に対し、１．００％を最適とし、許容範囲はその１０％、即ち、±０．１０％の範囲であるので、本発明においてメタ珪酸の含有量は、０．９０〜１．１０％の範囲内に設定される。
【００３６】
メタ珪酸の含有量が、［９８．００±９．８０］％の水に対し、０．９０％未満であると、見るべき効果が得られず、他方、１．１０％を超えると、前記クエン酸の作用が損なわれる。
【００３７】
メタ珪酸ナトリウム水溶液のメタ珪酸ナトリウムは水ガラス状の水溶液であることが望ましいが、水に溶けやすいので、固形物のままであってもよい。
【００３８】
上記の如き各成分を含有して成る本発明に係る洗浄液の製造に当たっては、井戸水、湧水などの不純物の少ない水を容器に用意し、この水と、アパタイト被覆酸化チタンと、過酸化物と、クエン酸と、メタ珪酸ナトリウムを、上記した配合比で混合撹拌して製造するものである。或は各アパタイト被覆酸化チタンと、過酸化物と、クエン酸と、メタ珪酸ナトリウムは、これを事前に混合撹拌させたものを水に加えるようにしてもよい。洗浄液の製造に当たっては、洗浄液を用いる前に混合撹拌させて用意しておいてもよいし、現場で混合撹拌させてもよい。
【００３９】
より具体的には、１，０００ｃｃの洗浄液を作る場合には、９８０ｃｃの不純物の少ない水を容器に用意し、この水に７ｃｃ相当量の例えば粉状のアパタイト被覆酸化チタンと、２ｃｃ相当の例えば粉状の過炭酸塩と、１０ｃｃ相当の粉状のクエン酸と、１ｃｃ相当のメタ珪酸ナトリウム溶液とを加え撹拌混合するものである。粉状の原料は、例えばビーカーやガラス製の試験管等の軽量容器に入れてその必要量を用意することができる。
【００４０】
このようにして製造された本発明の洗浄液の色は淡白半透明、液性はｐＨ１１．５±１で、含有される各成分は医療にも使用されている安全なものであり、手肌に優しく無害であり、２〜３週間で生分解されるため、環境汚染を生じることもない。
【００４１】
図１には、本発明に係る洗浄液の機能が模式図により示されている。上記の如き各成分を含有する本発明に係る洗浄液を、噴霧等により例えばカーペットに付着、含浸させ、数分間放置すると、図１（ａ）に示すように、洗浄液中に含まれる前記アルカリ成分としてのメタ珪酸の作用で、カーペット１に付着している汚れ２等は、カーペット１から剥離されて汚れ片２ａとなる。汚れ片２ａは、更に、前記メタ珪酸や過酸化物の作用によって分散され、また、後述のブラッシング洗浄による撹拌作用によっても分散されて、図１（ｂ）に示すような細かな汚れ粒子２ｂ、２ｂとなる。これらの汚れ粒子２ｂ、２ｂ（ウィルス、菌、カビ、臭気成分等を含む）は、図１（ｃ）に示すように、洗浄液に含まれる光触媒酸化チタン粒子３の表面を被覆するアパタイト粒子４、４に吸着され、光触媒酸化チタン粒子３の酸化作用を受けて分解され、無害化される。光触媒酸化チタン粒子３の表面を被覆するアパタイト粒子４、４は、図示する如く、カーペット１の素材が光触媒酸化チタン粒子３と接触して傷むのを防止するスペーサーとしての役割も果たしている。
【００４２】
以下に、界面活性剤を主成分とする従来からの一般的なカーペット洗浄液（「一般的洗浄液」という。）と、上記の如き成分構成を有する本発明に係る洗浄液（「本発明洗浄液」という。）をカーペットの洗浄に用いた場合の性能等の比較説明を行う。
【００４３】
汚れ・シミの洗浄効果については、一般的洗浄液は汚れ・シミの成分である有機化合物を分解することはできず、したがって、シミは取れない場合が多いのに対して、本発明洗浄液は汚れ・シミの有機化合物を分解し、シミを取ることができる。また、一般的洗浄液は、界面活性剤や洗剤成分の作用により、カーペットが変色・脱色する場合があるが、本発明洗浄液では有機化合物以外の分解は行われないため、変色や脱色は生じない。
【００４４】
消臭・抗菌効果については、一般的洗浄液は臭気成分である有機化合物を分解したり、ウィルス、菌、カビ等を分解、死滅させることはできず、消臭・抗菌効果は得られないが、本発明洗浄液によるときは、過酸化物やメタ珪酸の分解作用、酸化チタンの酸化作用によりこれらの有機化合物が分解されるため、消臭・抗菌効果を得ることができる。
【００４５】
洗浄後のカーペットに、汚れ等が再付着して再汚染される可能性については、一般的洗浄液の場合、一旦洗浄機側に移動した汚れ等がカーペットに残留している界面活性剤等に再付着して再汚染される可能性があるが、本発明洗浄液の場合、汚れ等は分解されて炭酸ガスと水になるため、再汚染の心配がない。
【００４６】
洗浄後の乾燥スピードについては、一般的洗浄液の場合、界面活性剤や洗剤成分を取り除くために大量の水が必要であり、カーペットに浸透したその水を乾燥させるのに時間がかかるのに対して、本発明洗浄液の場合、界面活性剤を使用しないため、それを取り除くための大量の水は不要であり、乾燥に要する時間を大幅に短縮できる。
【００４７】
カーペット洗浄の作業終了後、カーペットの使用を開始できるまでの使用停止期間については、一般的洗浄液の場合、乾燥に１〜２日、脱臭に１〜２日で、合計２〜４日を要するが、本発明洗浄液の場合には、乾燥のための２〜３時間で済み、脱臭は不要であるため、合計２〜３時間で洗浄後のカーペットが使用可能となるものである。
【００４８】
廃水処理については、一般的洗浄液の場合、カーペット洗浄後に界面活性剤等を取り除くために用いた水（廃液）の処理が必要であるのに対して、本発明洗浄液においては、界面活性剤を使用しておらず、本発明洗浄液の含有物は２〜３週間で生分解するため、廃水処理は不要であり、作業も楽である。
【００４９】
有害性に関しては、一般的洗浄液の場合、界面活性剤、その他の洗剤成分を多く含むため、環境への悪影響があるが、本発明洗浄液の場合、それらの有害成分を含まず、医療分野でも使用されているような安全な成分だけであるので無害であり、環境への悪影響が生じることがない。
【００５０】
次に、本発明に係る洗浄液をカーペット洗浄に用いた洗浄方法について、図２を参照しつつ説明する。
【００５１】
まず、図２（ａ）に示すように、洗浄すべきカーペット１１に付着した塵埃をバキュームクリーナー１２を用いて取り除く。
【００５２】
次に、図２（ｂ）に示すように、カーペット１１の表面に、本発明に係る前記の成分構成を有する洗浄液の原液または必要に応じて水で希釈した希釈液を噴霧器１３等を用いて噴霧し、４〜１２分間放置する。この場合の噴霧量は、手で触って僅かな湿り気を感じる程度とする。また、前記放置時間は、汚れの種類や程度、気温、湿度等によって増減させる。例えば、シミ、カビ等があった場合は、その部分には前記洗浄液を多めに噴霧し、１０分程度放置する。これによって、カーペットに付着したり染み込んだりした汚れ、臭気成分等をカーペット繊維から剥離、分散させることができる。
【００５３】
次に、図２（ｃ）に示すように、前記カーペット１１の表面をブラシ付き洗浄機１４によりブラッシングする。洗浄機１４としてはカーペット用のロータリーシャンパー等を使用し、これに取り付けるブラシ１５としては、トローンブラシやシダブラシを好適に用いることができる。ただし、洗浄機やブラシは、これらに限定されるものではない。このブラッシング作業により、前記洗浄液の水分の乾燥と同時に、前記剥離、分散された汚れ、臭気成分等を前記洗浄液中の光触媒酸化チタン粒子の表面を被覆するアパタイト粒子に吸着させ、光触媒酸化チタン粒子の酸化作用により分解、無害化させると共に、他の汚れをカーペットの表面に浮き上がらせることができる。
【００５４】
最後に、図２（ｄ）に示すように、前記ブラッシングによりカーペットの表面に浮き上がった汚れを、円形の布地に綿糸を縫い付けて成るヤーンパットまたはボーンネットパット１７を装着した洗浄機１６により吸着、除去する。洗浄機１６としては、ブラッシングの場合と同様に、カーペット用のロータリーシャンパー等を用いることができる。
【００５５】
なお、例えばシミ、カビ等がある部分だけを洗浄する場合には、前記の如く、その部分に洗浄液を多めに噴霧し、１０分程度放置した後、ブラッシングし、タオル等で拭き取るようにしてもよい。
【００５６】
なお、本発明は前記実施例に限定されるものではなく、必要に応じて他の成分を補助的に追加することや、洗浄作業中に前記以外の操作を補助的に追加することも可能であり、したがって本発明は、特許請求の範囲に記載の範囲内におけるすべての変更実施例を包摂するものである。
【産業上の利用可能性】
【００５７】
本発明は以上のように構成したので、光触媒酸化チタンと、過酸化物及びメタ珪酸との相乗効果によって優れた洗浄力が発揮され、汚れ、シミを効果的に除去すると共に、消臭、抗菌、抗カビ作用も有し、これをカーペットの洗浄に用いた場合には、洗浄後の使用可能となるまでの使用停止期間も短く、人と地球環境に優しく、安全で快適な室内空間を創り出すことが可能な洗浄液並びにこの洗浄液を用いたカーペットの洗浄方法を提供し得るものである。
【符号の説明】
【００５８】
１      カーペット
２      汚れ
２ａ    汚れ片
２ｂ    汚れ粒子
３      光触媒酸化チタン粒子
４      アパタイト粒子
１１    カーペット
１２    バキュームクリーナー
１３    噴霧器
１４    洗浄機
１５    ブラシ
１６    洗浄機
１７    ヤーンパットまたはボーンネットパット
【図１】
2016089129.tif 000003
【図２】
2016089129.tif 000004